(57)【特許請求の範囲】
【請求項１】
上端側に雄ネジが設けられたネジ軸と、前記ネジ軸の上面に設けられた非円形の係合穴とを備える支持脚と、
前記支持脚の係合穴に進退自在に挿入可能な棒状部と前記棒状部の上端に設けられた把持部とを有する回転工具と、
厚み方向に貫通して設けられ前記支持脚の雄ネジ部と螺合する雌ネジ部が設けられた前記支持脚を支持する支持脚固定穴と、前記支持脚固定穴の上方に前記支持脚固定穴の周囲に設けられ前記回転工具と係合可能な工具固定部と、上面に化粧板材を係合する板材固定部とを備える下地本体と、
を備えることを特徴とする、化粧板敷設具。
【請求項２】
さらに、隣り合う下地本体同士を連結する連結機構を有し、
前記連結機構は、前記下地本体の対向する側面で高さ方向が異なるように前記下地本体に設けられ、厚み方向に貫通する止め部材挿入口を有する連結部と、
前記隣り合う下地本体部の連結部の止め部材挿入口が厚み方向に重なるように配置された状態で、前記止め部材挿入口に挿入される止め部材とを備えることを特徴とする、請求項１に記載の化粧板敷設具。
【請求項３】
前記工具固定部は、前記支持脚固定穴の周囲に設けられ、側壁が全周にわたって前記下地本体厚み方向に伸びる凹凸溝が形成された溝穴で設けられ、
前記支持脚固定穴の上側から前記支持脚の係合穴に挿入された回転工具の把持部両端を前記凹凸溝の溝内に嵌合可能に構成されていることを特徴とする、請求項１又は２に記載の化粧板敷設具。
【請求項４】
前記支持脚は、前記ネジ軸の下側に前記ネジ軸に対して回転可能に設けられ、基礎床面に当接する接地部を備えることを特徴とする、請求項１から３のいずれか１つに記載の化粧板敷設具。
【請求項５】
前記板材固定部は、化粧板材に設けられた係合部が板材固定部に係合するように構成された溝であり、
前記化粧板材は係合部に下方に突出するボス部を備え、
前記板材固定部は、溝底に前記ボス部と係合する係合孔が設けられていることを特徴とする、請求項１から４のいずれか１つに記載の化粧板敷設具。
【請求項６】
上端側に設けられた雄ネジと上面に設けられた非円形の係合穴を有する支持脚が、内側面に雌ネジを有し厚み方向に貫通する支持脚固定穴と螺合することによって、基礎床面に対して高さ調整可能に支持された下地本体を配列し、その上面に化粧床材を固定した床構造であって、
前記係合穴に進退自在に挿入可能な棒状部と前記棒状部の上端に設けられた把持部とを有する回転工具を、前記支持脚のネジ軸の前記下地本体の表面側から挿入し、前記支持脚固定穴の上方に前記支持脚固定穴の周囲に設けられた工具固定部に前記回転工具部の把持部を係合させた状態で、上面に化粧板材を配列することを特徴とする、床構造。
【請求項７】
隣り合う前記下地本体の対向する側面で高さ方向が異なるように設けられた連結部の厚み方向に貫通する止め部材挿入口が厚み方向に重なるように配置された状態で、止め部材を前記止め部材挿入口に挿入して、前記隣り合う下地本体を連結することを特徴とする、請求項６に記載の床構造。
【発明の詳細な説明】
【技術分野】
【０００１】
本発明は、庭先の地面、ベランダ、バルコニーなどの基礎床面にデッキ材フロアパネルなどの化粧板を敷き詰めて配設する化粧板敷設具及び床構造に関する。
【背景技術】
【０００２】
支持脚によってフロアパネルなどの化粧板を水平に支持してベランダデッキなどを簡単に敷設できるようにした床構造は、特開平８−３５３１６号公報（特許文献１）などにより従来から知られている。この支持脚は、特許文献１の他に、特開２０００−１７７２３号公報（特許文献２）や特開２００３−３０１５８９号公報（特許文献３）等に開示されているように、支持脚をネジ軸によって構成することで、その支持高さを自由に調整できるように構成されている。
【０００３】
例えば、特許文献１及び２の床構造は、角部に切り欠きが設けられた床板を四方から一箇所に集合させ、当該集合した角部の位置に、それぞれ付き合わされた床板を係止する係止部と当該係止部に螺合された支持脚を有する構成である。これらの床構造は、係止部と一体になった支持脚を各角部が配置されると予想される位置に予め配設しておき、支持脚の係止部に床板の角部をはめ込んでいくことにより複数の床板を連結しながら床板を敷き詰めていく工程により組み立てられる。その後、支持脚の高さを調整し、所望の高さになるように床板のレベル調整を行う。
【０００４】
また、特許文献３の床構造は、上下方向調整可能な支持脚が下面側に取り付けられた支持構造体を配設することにより、組み立てられる。支持構造体の側面には、上下方向に伸びる溝と突起が設けられており、隣り合う支持構造体を上下方向から嵌め合わせることで連結する。その後、支持脚の高さを調整し、所望の高さになるように床板のレベル調整を行う。
【０００５】
このように、高さ調整を行う支持脚を有する構成の床構造は、支持脚の高さ調整の容易さに加えて、隣り合う床板を確実に連結できることが必要であった。しかし、これらの特許文献に開示されているような従来の床構造は、組み上げた後に支持脚の高さを調整すると、床面のレベル調整が困難となるという問題があった。
【先行技術文献】
【特許文献】
【０００６】
【特許文献１】特開平８−３５３１６号公報
【特許文献２】特開２０００−１７７２３号公報
【特許文献３】特開２００３−３０１５８９号公報
【発明の概要】
【発明が解決しようとする課題】
【０００７】
例えば、特許文献１及び特許文献２の床構造は、一つの支持脚の高さを変更すると、当該支持脚に係止されている４枚の床板が斜めに傾くことになる。この床板を所望のレベル例えば水平に調整するには、１枚の床板につき残りの３つの支持脚の高さを調整する必要があった。そして、また、レベル調整の対象となっている１枚の床板について調整した３つの支持脚には、それぞれ３枚の他の床板が連結されていることから、１つの床板のレベル調整が同時に支持されている他の３枚の床板の傾斜に影響を与えることとなる。そしてこの３枚の床板についても考慮すると、調整を必要とする支持脚の数は累積的に増加する。結果として、すべての床板を所望のレベルに均一化することは非常に困難であり、床板面のレベル調整に多大な時間と手間を必要とするという問題があった。
【０００８】
また、特許文献３の床構造では、支持脚が１枚の支持構造体に固定されているため、１つの支持脚の高さ調整によりレベルが変更する床板は１枚であることから、対象となる床板のレベル調整が他の床板のレベルに影響を与える問題は軽減されている。しかし、隣り合う床板が上下方向に連結及び脱着されるものであるため、１枚の床板の高さが変化することで、隣り合う床板との高さがずれて段になりやすく、隣り合う床板を確実に連結しにくいという問題があった。
【０００９】
さらに、上記の各特許文献の床構造では、レベル調整を行っても経年使用により床面に与えられた振動によりネジのゆるみが発生して支持脚の高さが変化するため、定期的にレベルの再調整を行う必要があるという問題もあった。
【００１０】
したがって、本発明が解決しようとする技術的課題は、上記の問題点を解決し、化粧板のレベル調整を容易にすることができ、また、経年使用によるレベルの変化を防止すると供に隣り合う床板を確実に連結することができる化粧板敷設具及び床構造を提供することである。
【課題を解決するための手段】
【００１１】
本発明は、上記技術的課題を解決するために、以下の構成の化粧板敷設具を提供する。
【００１２】
本発明の第１態様によれば、上端側に雄ネジが設けられたネジ軸と、前記ネジ軸の上面に設けられた非円形の係合穴とを備える支持脚と、
前記支持脚の係合穴に進退自在に挿入可能な棒状部と前記棒状部の上端に設けられた把持部とを有する回転工具と、
厚み方向に貫通して設けられ前記支持脚の雄ネジ部と螺合する雌ネジ部が設けられた前記支持脚を支持する支持脚固定穴と、前記支持脚固定穴の上方に前記支持脚固定穴の周囲に設けられ前記回転工具と係合可能な工具固定部と、上面に化粧板材を係合する板材固定部とを備える下地本体と、
を備えることを特徴とする、化粧板敷設具を提供する。
【００１３】
本発明の第２態様によれば、さらに、隣り合う下地本体同士を連結する連結機構を有し、
前記連結機構は、前記下地本体の対向する側面で高さ方向が異なるように前記下地本体に設けられ、厚み方向に貫通する止め部材挿入口を有する連結部と、
前記隣り合う下地本体部の連結部の止め部材挿入口が厚み方向に重なるように配置された状態で、前記止め部材挿入口に挿入される止め部材とを備えることを特徴とする、第１態様の化粧板敷設具を提供する。
【００１４】
本発明の第３態様によれば、前記工具固定部は、前記支持脚固定穴の周囲に設けられ、側壁が全周にわたって前記下地本体厚み方向に伸びる凹凸溝が形成された溝穴で設けられ、
前記支持脚固定穴の上側から前記支持脚の係合穴に挿入された回転工具の把持部両端を前記凹凸溝の溝内に嵌合可能に構成されていることを特徴とする、第１又は第２態様の化粧板敷設具を提供する。
【００１５】
本発明の第４態様によれば、前記支持脚は、前記ネジ軸の下側に前記ネジ軸に対して回転可能に設けられ、基礎床面に当接する接地部を備えることを特徴とする、第１から第３態様のいずれか１つの化粧板敷設具を提供する。
【００１６】
本発明の第５態様によれば、前記板材固定部は、化粧板材に設けられた係合部が板材固定部に係合するように構成された溝であり、
前記化粧板材は係合部に下方に突出するボス部を備え、
前記板材固定部は、溝底に前記ボス部と係合する係合孔が設けられていることを特徴とする、第１から第４態様のいずれか１つの化粧板敷設具を提供する。
【００１７】
本発明の第６態様によれば、上端側に設けられた雄ネジと上面に設けられた非円形の係合穴を有する支持脚が、内側面に雌ネジを有し厚み方向に貫通する支持脚固定穴と螺合することによって、基礎床面に対して高さ調整可能に支持された下地本体を配列し、その上面に化粧床材を固定した床構造であって、
前記係合穴に進退自在に挿入可能な棒状部と前記棒状部の上端に設けられた把持部とを有する回転工具を、前記支持脚のネジ軸の前記下地本体の表面側から挿入し、前記支持脚固定穴の上方に前記支持脚固定穴の周囲に設けられた工具固定部に前記回転工具部の把持部を係合させた状態で、上面に化粧板材を配列することを特徴とする、床構造を提供する。
【００１８】
本発明の第７態様によれば、隣り合う前記下地本体の対向する側面で高さ方向が異なるように設けられた連結部の厚み方向に貫通する止め部材挿入口が厚み方向に重なるように配置された状態で、止め部材を前記止め部材挿入口に挿入して、前記隣り合う下地本体を連結することを特徴とする、第６態様の床構造を提供する。
【発明の効果】
【００１９】
本発明によれば、支持脚の高さ調整を行うための回転工具を支持脚に対して進退可能に構成すると共に、下地本体の支持脚固定穴の周囲に設けられた工具固定部に固定することにより、支持脚のネジのゆるみを防止することができる。すなわち、回転工具を用いて支持脚の高さ調整をした後、回転工具を支持脚側に深く挿入し、この状態で回転工具を下地本体に設けられた工具固定部に固定する。この構成により、回転工具を介して下地本体と支持脚が固定され、経年使用における振動などを理由とするネジのゆるみが防止される。
【００２０】
本発明の第２態様によれば、上下方向ではなく、下地本体の面に沿った方向から隣り合う下地本体を連結することができる。したがって、支持脚による高さ調整を行った場合にも、隣り合う下地本体の間に段差が生じることがなく、レベル調整を容易にすることができる。また、下地本体の連結には止め部材を挿入するだけでよいため、施工の手間が軽減でき、下地本体を効率よく配設することができる。
【００２１】
本発明の第３態様によれば、溝穴の側壁に設けられた凹凸溝が厚み方向に設けられているため、回転工具を支持脚側に深く挿入することによって把持部を凹凸溝に係合させることができる。また、凹凸溝は、全周にわたって設けられているため、回転工具の把持部の方向を問わず、どのような向きの状態でも溝穴の凹凸溝に固定することができ、固定作業を容易にすることができる。
【図面の簡単な説明】
【００２２】
【図１】本発明の実施形態にかかる化粧板敷設具を用いた床構造の例を示す概略図である。
【図２】図１の床構造の一部の化粧板材を外した状態を示す図である。
【図３】図１の床構造に用いられる下地本体の単位ユニットの構成を示す斜視図である。
【図４】他の角度からみた図３の下地本体の単位ユニットの構成を示す斜視図である。
【図５】下地本体と支持脚及び化粧板材の取り付け構成を示す断面図である。
【図６】支持脚を取り付けた状態にある下地本体を斜め下側からみた斜視図である。
【図７】回転工具及び支持脚の構成を示す斜視図である。
【図８】回転工具を下地本体に収納した状態を示す部分拡大斜視図である。
【図９】下地本体の連結機構の構成を示す部分拡大図である。
【図１０】連結状態にある図９の連結機構を示す部分拡大図である。
【図１１】化粧板材を裏面側からみた部分拡大図である。
【図１２】下地本体の部分拡大図である。
【発明を実施するための形態】
【００２３】
以下、本発明の一実施形態に係る化粧板敷設具を用いた床構造について、図面を参照しながら説明する。
【００２４】
本実施形態にかかる化粧板敷設具を基礎床面に敷設した床構造１００は、図１及び図２に示すように、家屋庭先の地面やベランダなどのコンクリート面等の基礎床面Ｇ（図５参照）の上に縦横に並べて敷設される多数の下地本体１と、これらの下地本体１を略水平に支持する複数の高さ調節自在な支持脚２と、下地本体１の上面に取付けられた化粧板材３によって構成されている。
【００２５】
上記下地本体１は、ポリプロピレン、ポリエチレン、ポリ塩化ビニル等の熱可塑性合成樹脂を射出成形又は射出発泡成形したもので、本実施形態では、リレー成形により単位ユニットを連続的に成形することで、単位ユニットが長手方向に連接して成形された長尺の下地本体１を構成する。本実施形態の床構造では、下地本体１を短手方向に並べて隣り合う下地本体１同士を連結した後、支持脚２の高さを調整し、化粧板材３を下地本体１の上面に取り付ける。
【００２６】
化粧板材３は、ポリ塩化ビニル、ポリプロピレン、ポリカーボネート等の熱可塑性合成樹脂を矩形板状に押出成形又は発泡押出成形したもので、この化粧板材３の上面には、木目模様や他の模様を施して美観を向上させることが望ましい。化粧板材３の寸法は限定されないが、実用上、その幅を下地板材１の幅寸法に合わせて１５〜３０ｃｍ程度とすることが好ましい。また、長さ寸法は３０〜２７０ｃｍ程度、厚みを１５ｍｍ程度に設定するのが適当である。
【００２７】
図２〜図４に示すように、この下地本体１を構成する単位ユニットは、多数の縦桟と横桟を直交させた格子状の正方形が２つ並んで配置されているような平面形状を有している。この下地本体１は、短辺の長さが３０ｃｍ程度、長編の長さが６０ｃｍ程度、厚さが５ｃｍ程度に設定されている。下地本体１の１ユニットには、上記化粧板材３が２枚並べて取付けられるようになっている。そして、縦桟と横桟はいずれも裏面が開口した中空構造の桟に形成され、下地本体１の軽量化が図られている。
【００２８】
下地本体１の側面１０には、連結機構１１が設けられている。連結機構１１は、隣り合って配置される下地本体１を連結するためのものであり、詳細な構成については後述する。
【００２９】
下地本体１の上面には、化粧板材３を下地本体１に固定するための板材固定部の一例としての縦溝１３及び横溝１４が設けられている。下地本体１の１つのユニットに設けられている縦溝１３及び横溝１４は下地本体１の長手方向及び短手方向の全幅にわたり設けられており、縦溝１３はリレー成形された下地本体１の長手方向に連続して形成されている。また、横溝１４は、隣り合って短手方向に連結された下地本体１の横溝１４と連続する（図１０参照）。
【００３０】
図１２に示すように、縦溝１３及び横溝１４の底面には、嵌合孔４０が設けられており、後述する化粧板材３のボス部４６が嵌合することによって、化粧板材のずれを防止する。
【００３１】
化粧板材３には図５に示すように、裏面に左右一対の長手方向に伸びる脚片４４が形成されている。そして、左右一対の脚片４４の下端には、爪形の断面形状を有する係合部４５が外向きに突出して形成されている。この係合部４５は、縦溝１３又は横溝１４に挿入されて係合し、化粧板材３を下地本体１に固定する。なお、下地本体１において、隣り合う縦溝１３及び横溝１４の間隔は同寸法に構成されており、化粧板材３を下地本体１の長手方向にも短手方向にも取り付けることができるようになっている。すなわち、化粧板材３が下地本体１の長手方向に沿って取り付けられる場合は、脚片４４は縦溝１３と係合し、一方、化粧板材３が下地本体１の短手方向に沿って取り付けられる場合は、脚片４４は横溝１４と係合する。
【００３２】
また、図１１に示すように、脚片４４には、縦溝１３及び横溝１４に設けられている嵌合孔４０と嵌合する間欠的にボス部４６が設けられている。化粧板材の脚片４４は、位置方向に伸びているため、下地本体１の縦溝１３又は横溝１４に沿って移動する可能性がある。ボス部４６が嵌合孔４０と嵌合することにより、化粧板材のずれが防止される。
【００３３】
下地本体１には、図３，４に示すように、支持脚２を取り付けるための支持脚固定穴１２が設けられている。支持脚固定穴１２は、１つのユニットに対して２箇所に設けられており、下地本体１の厚み方向に貫通する。支持脚固定穴１２の内周面には雌ネジ１５が設けられている。当該雌ネジは支持脚２の上部に設けられている雄ネジ１６と螺合する。
【００３４】
下地本体１を支持する支持脚２は、図５に示すように、上部に雄ネジ１６が設けられたネジ軸１７と、ネジ軸１７の下方に設けられた中間部１８と、中間部１８の下端側に位置する接地部１９とを備える。図６は、支持脚を取り付けた状態にある下地本体を斜め下側からみた斜視図である。図６に示すように、支持脚２のネジ軸１７の雄ネジ１６と支持脚固定穴１２の内周面に設けられた雌ネジ１５が螺合し、支持脚２を回転させることで、下地本体１の高さを調整することができる。
【００３５】
図５に示すように、支持脚２の高さ調整を行うために、支持脚２のネジ軸１７には、回転工具４が脱着可能となっている。回転工具４は、断面６角形の脚部４１と脚部４１の上端に設けられる把持部４２を備えている。脚部４１は、支持脚のネジ軸１７の上面に設けられている係合穴２０に嵌入可能な断面形状を有しており、当該係合穴２０に進退可能に構成されている。この状態で、把持部４２を持って回転させることで、支持脚２のネジ軸１７が回転して、下地本体１と支持脚２の高さ調整を行うことができる。なお、ネジ軸１７及び接地部１９と中間部１８は、それぞれ遊嵌状態に組み立てられており、互いに軸周りに相対回転可能に構成されているため、接地部１９が基礎床面Ｇに接地した状態であってもネジ軸１７をスムーズに回転させることができる。
【００３６】
なお、本実施形態において、ネジ軸１７のネジ長は３０ｍｍ程度であり、２５ｍｍ程度の高さ調整を行うことができる。ただし、基礎床面Ｇに２５ｍｍ以上の段差などがある場合でも、長さが異なる中間部１８を用いることで、下地本体１全体を均一の高さに合わせることができる。
【００３７】
ネジ軸１７の係合穴２０は、本実施形態では、正６角形に構成され、十分な深さ寸法を有して構成されている。回転工具４は、脚部４１の差込幅を異ならせることで、図７に示すように係合穴２０に進退可能である。また、把持部４２の両端には、係止凸部４３が外側に突出して設けられている。
【００３８】
また、下地本体１の支持脚固定穴１２の周囲には、工具固定部の一例として、周囲に凹凸溝２１が形成された溝穴２２が設けられている。凹凸溝２１は、溝穴２２の深さ方向に伸びる溝であり、溝穴２２の全周にわたって設けられている。凹凸溝２１は、把持部の係止凸部４３が係合可能に構成されている。上記のように、回転工具４は支持脚２側に進退可能に設けられているため、高さ調整を行なわないときは、回転工具４を支持脚２側に押し下げて係止凸部４３を凹凸溝２１に係止することで回転工具４を下地本体１に固定することができる。凹凸溝２１の個数は、特に限定されるものではないが、数を多くすることにより隣り合う凹凸溝がなす角度が小さくなるため、固定可能な回転工具４の向きの角度幅を小さくすることができ、本実施形態では２４個の凹凸溝２１が設けられている。
【００３９】
また、溝穴２２は、支持脚固定穴１２よりも若干大径に構成されており、本実施形態では、把持部４２の寸法とほぼ等しい形寸法に構成されている。よって、回転工具４の固定時に、係止凸部４３が溝穴２２の底壁２３に突き当たり、支持脚固定穴１２内に把持部４２が落下することを防止することができる。
【００４０】
下地本体１に固定された回転工具４は、脚部４１が支持脚２の係合穴２０に挿入された状態となっているため、回転工具４を介して下地本体１と固定され、ネジのゆるみの発生を防止することができる。したがって、経年使用によるネジのゆるみによって支持脚２の高さが変化することがなく、レベルの再調整の手間を行う必要がない。
【００４１】
次に、下地本体１同士を連結する連結機構１１について詳細に説明する。上記の通り、本実施形態の床構造に用いられる下地本体１では、下地本体１の側面１０に連結機構１１が設けられており、下地本体１を短手方向に連結するために用いられる。ただし、下地本体１を長手方向に連結する連結機構を備えていてもよい。
【００４２】
図９は下地本体の連結機構の構成を示す図である。図１０は連結状態にある図９の連結機構を示す部分拡大図である。連結機構１１は、下地本体１の厚み方向に貫通する止め部材挿入口２５が設けられた連結環状部２６，２７，２８により構成されている。連結環状部２６，２７，２８は、支持脚固定穴１２に近接する位置に設けられており、対向する２つの側面において、高さ方向位置が異なるように配置されている。すなわち、一方の側面１０ａには、上部連結環状部２６及び下部連結環状部２８が隙間２９をおいて設けられ、対向する他方の側面１０ｂには、中間連結環状部２７が設けられている。
【００４３】
中間連結環状部２７は、上部連結環状部２６及び下部連結環状部２８の間の隙間２９に
相当する高さ位置に設けられる。なお、隙間２９の高さ寸法は、中間連結環状部２７の高さ寸法よりも若干大きく構成し、下地本体１の連結時に多少の遊びが形成されるようにすることが好ましい。
【００４４】
また、中間連結環状部２７の上下位置には、連結時に上部連結環状部２６及び下部連結環状部２８の外形形状に沿うように構成された凹状部３０が設けられており、２つの下地本体１の長手方向の位置関係を容易に位置決めすることができ、かつその近接時には、両者がはまりあって２つの下地本体１をより密接させることができる。
【００４５】
２つの下地本体１の近接時には、連結環状部２６，２７，２８に設けられている止め部材挿入口２５が下地本体１の厚み方向に配列され、当該止め部材挿入口２５に止め部材３１を挿入することで２つの下地本体１が連結する。止め部材３１は、くさび状の部材であり、近接した２つの下地本体１の上部連結環状部２６の止め部材挿入口２５に挿入され、その下側に位置する中間連結環状部２７及び下部連結環状部２８の止め部材挿入口２５に連通して２つの下地本体１が連結される。
【００４６】
本実施形態の下地本体１を連結するには、２つの下地本体を横方向から近づけて近接させ、その後止め部材３１を挿入して連結する。
【００４７】
次に本実施形態にかかる床構造の組立手順について説明する。まず、基礎床面Ｇの上に、支持脚２を螺合した下地本体１を配置する。このときの支持脚は仮の高さ位置でよく、各下地本体１の上面がほぼ同じ高さになるようにすることが好ましい。次いで、下地本体１を短手方向に配置しながら止め部材３１を用いて下地本体１同士を順次連結する。
【００４８】
基礎床面Ｇ上に所定の面積の下地本体１を配置して連結した後、回転工具４をそれぞれの支持脚２の係合穴２０に挿入して下地本体の高さ調整を行なう。
【００４９】
本実施形態では連結機構１１は横方向に連結される構成であるため、隣り合う２つの下地本体１について支持脚２の高さを調整すると、他方の下地本体１も連動し、隣り合う下地本体１の間に段差が生じることはない。すなわち、ある任意の下地本体１を上昇させると、当該下地本体１に連結されている他の下地本体１についても持ち上がることとなる。本実施形態では、連結機構１１と支持脚固定穴１２とが近接して設けられているため、連動により持ち上げられた側の下地本体１について支持脚２が基礎床面Ｇから浮き上がっているかの判断が容易であり、当該支持脚２についても基礎床面Ｇに接地するように高さ調整をすることで容易に２つの下地本体１が平面となるようにレベル調整することができる。
【００５０】
上記の作業を繰り返して、すべての下地本体１について高さ調整が終了した後、回転工具４を深く挿入して把持部４２の係止凸部４３を溝穴２２の凹凸溝２１に係合させて、回転工具４を下地本体１に固定する。回転工具４の脚部４１は支持脚２の係合穴２０に挿入された状態となっているため、回転工具４を介して下地本体１と支持脚２とが連結され、支持脚２のゆるみの発生が防止される。
【００５１】
最後に、化粧板材３を下地本体１の縦溝１３又は横溝１４にはめ込むことで、化粧板材３を下地本体１上に固定させる。
【００５２】
以上説明したように、本実施形態にかかる床構造は、支持脚２の高さ調整を行うための回転工具４を支持脚２に対して進退可能に構成すると共に、下地本体１の支持脚固定穴１２の周囲に設けられた凹凸溝２１に固定することにより、支持脚２のネジのゆるみを防止することができる。すなわち、回転工具４を用いて支持脚の高さ調整をした後、回転工具４を支持脚２に深く挿入することで、把持部４２の両端が凹凸溝２１に係合する。また、把持部４２は、下地本体１の表面から突出することなく溝穴２２内に収納される。この構成により、回転工具４を介して下地本体１と支持脚２が固定され、振動などを理由とするネジのゆるみが防止される。
【００５３】
また、隣り合う下地本体１同士を連結する連結機構として、連結環状部２６，２７，２８及び止め部材３１を用いることで、横方向から下地本体１を連結することができ、高さ調整時に下地本体間に段差が生じることがない。また、支持脚２と連結機構１１とが近接しているため、調整された下地本体に合わせて支持脚の高さを均一にすることが容易である。
【００５４】
なお、本発明は上記実施形態に限定されるものではなく、その他種々の態様で実施可能である。たとえば、把持部４２を下地本体１に固定する構成としては、凹凸溝２１を溝穴２２の周囲に配置しているが、溝穴の底面に上方が開口するように設けてもよい。この構成では、把持部４２の底面に当該凹凸溝と係合する係止凸部４３を設ければよい。
【産業上の利用可能性】
【００５５】
本発明にかかる化粧板敷設具及び床構造は、家屋庭先の地面やベランダなどのコンクリート面等の基礎床面上に配置される。
【符号の説明】
【００５６】
１  下地本体
２  支持脚
３  化粧板材
４  回転工具
１１  連結機構
１２  支持脚固定穴
１３  縦溝
１４  横溝
１５  雌ネジ
１６  雄ネジ
１７  ネジ軸
１８  中間部
１９  接地部
２０  係合穴
２１  凹凸溝
２２  溝穴
２３  底壁
２６  上部連結環状部
２７  中間連結環状部
２８  下部連結環状部
２９  隙間
３０  凹状部
３１  止め部材
４０  嵌合孔
４１  脚部
４２  把持部
４３  係止凸部
４４  脚片
４５  係合部
４６  ボス部
【図１】
0005719753.tif 000002
【図２】
0005719753.tif 000003
【図３】
0005719753.tif 000004
【図４】
0005719753.tif 000005
【図５】
0005719753.tif 000006
【図６】
0005719753.tif 000007
【図７】
0005719753.tif 000008
【図８】
0005719753.tif 000009
【図９】
0005719753.tif 000010
【図１０】
0005719753.tif 000011
【図１１】
0005719753.tif 000012
【図１２】
0005719753.tif 000013